(57)【要約】【課題】紙詰まり時や搬送ベルト交換時において、テーブル本体及びインレットガイドを取り外したときの復帰性を良くし、インレットガイドのスリットの隙間調整を容易にできるチョッパテーブルを提供することを目的とする。【解決手段】搬送ベルトによって搬送される折丁を案内するテーブル本体２とチョッパブレードで押し込まれる折丁を案内する一対のインレットガイド３とを備え、前記テーブル本体２はチョッパフレーム４に着脱自在に支持され、前記インレットガイド３は前記チョッパフレーム４にブラケット５を介して着脱自在に支持されているチョッパテーブル。【選択図】    図１
2005035682.tif 000002
【特許請求の範囲】
【請求項１】
搬送手段によって搬送されるシート状物を案内する案内テーブルと、
チョッパブレードで押し込まれるシート状物を案内する一対のガイドとを備え、前記案内テーブルは固定部材に着脱自在に支持され、
前記ガイドは前記固定部材に調整部材を介して着脱自在に支持されていることを特徴とするチョッパテーブル。
【請求項２】
請求項１に記載のチョッパテーブルにおいて、
前記調整部材に、前記一対のガイドとの間に形成された隙間の長手方向と垂直な方向に延びる長孔を形成し、
前記調整部材に固定されたまま前記ガイドが前記シート状物の搬送方向に垂直な方向に移動可能であることを特徴とするチョッパテーブル。
【請求項３】
請求項１に記載のチョッパテーブルにおいて、
前記ガイドに、前記一対のガイドとの間に形成された隙間の長手方向と垂直な方向に延びる長孔を形成し、
前記ガイドが前記シート状物の搬送方向に垂直な方向に移動可能であることを特徴とするチョッパテーブル。
【発明の詳細な説明】
【０００１】
【発明の属する技術分野】
本発明は、折機内のチョッパ装置におけるチョッパテーブルに関するものである。
【０００２】
【従来の技術】
輪転印刷機には、印刷されたウエブを折りたたむ折機が一般的に設置されている。このような折機には、ウエブを裁断して折りたたんだ折丁をさらに折りたたむチョッパ装置が設けられている。このチョッパ装置の折丁を折りたたむ部分に、搬送された折丁を下方へ排出させるチョッパテーブルが取り付けられている。このようなチョッパテーブルについては、特開平１１−２９２５８号公報に記載されている。
【０００３】
上述のチョッパテーブルの一例を図８，９，１０に示す。図８は平面図で、図９はそのＡ−Ａ矢視断面図である。図１０はチョッパ装置の概略側面図である。折丁の搬送方向を図８中矢印で示す。チョッパテーブル５１は、一対のテーブル本体５２と各テーブル本体５２に取り付けられ、向き合わされた一対のインレットガイド５３により構成されている。一対の前記インレットガイド５３は、一対の前記テーブル本体５２の略中央部に位置している。その一対の前記インレットガイド５３の左右両側は、ボルト５４ａにより連結部材であるブラケット５５を介して各前記テーブル本体５２に支持されている。前記テーブル本体５２は、ボルト５４ｂによりチョッパフレーム５６に支持されている。
【０００４】
シート状物である折丁５７は、上下方向に対をなして走行する複数組の搬送ベルト５８に挟まれ前記チョッパテーブル５１に沿って搬送される。前記折丁５７が、前記チョッパテーブルの搬送方向下流側に設置されたストッパ（図省略）の近傍に位置付けられると、前記チョッパテーブル５１の上方よりチョッパブレード５９が下降する。前記チョッパブレード５９は、前記折丁５７の略中央部分を一対の前記インレットガイド５３との間に形成された隙間であるスリット５３ａ間に押し込こむ。押し込まれた前記折丁５７は、前記インレットガイド５３の下方に設置してある折込みローラ６０により、折り曲げられながら通過する。
【０００５】
【特許文献１】
特開平１１−２９２５８号公報
【０００６】
【発明が解決しようとする課題】
上述したチョッパテーブルの構成では、前記インレットガイド５３は、前記ボルト５４ａにより前記ブラケット５５を介して前記テーブル本体５２に支持され、前記テーブル本体５２は前記ボルト５４ｂにより前記チョッパフレーム５６に支持されている。このように構成された前記チョッパテーブル５１において、前記折込みローラ６０内に前記折丁５７が詰まった際は、前記インレットガイド５３のみを取り外せばよく、再度取り付けても元の位置に戻り前記スリット５３ａの隙間も変わらない。しかし、前記搬送ベルト５８の交換時は、前記テーブル本体５２を取り外すので、同時に前記インレットガイド５３も取り外されてしまう。また、一対の前記インレットガイド５３との間に形成された前記スリット５３ａの隙間を調整できるよう前記テーブル本体５２には、前記ボルト５４ｂが挿入される孔が長孔となっている。従って前記チョッパフレーム５６に前記テーブル本体５２を取り付ける作業時においては、精度が出づらく、前記スリット５３ａの隙間を元に戻すのは困難であり、再度調整が必要となり面倒でもある。従って、前記テーブル本体５２及び前記インレットガイド５３は、元の位置に取り付けられるという復帰性がなく、取り付け作業工数が多いので手間と時間が掛かり、隙間調整が困難であるという問題がある。
【０００７】
このようなことから、本発明は、紙詰まり時や搬送ベルト交換時において、テーブル本体及びインレットガイドを取り外したときの復帰性を良くし、インレットガイドのスリットの隙間調整を容易にできるチョッパテーブルを提供することを目的とする。
【０００８】
【課題を解決するための手段】
上記課題を解決する第１の発明に係るチョッパテーブルは、搬送手段によって搬送されるシート状物を案内する案内テーブルと、チョッパブレードで押し込まれるシート状物を案内する一対のガイドとを備え、前記案内テーブルは固定部材に着脱自在に支持され、前記ガイドは前記固定部材に一対の部材を介して着脱自在に支持されていることを特徴とする。
【０００９】
上記課題を解決する第２の発明に係るチョッパテーブルは、請求項１に記載のチョッパテーブルにおいて、前記ガイド間を搬送方向に垂直な方向に隙間調整可能にするために、前記調整部材に前記一対のガイドとの間に形成された隙間の長手方向と垂直な方向に延びる長孔を形成し、前記調整部材に固定されたまま前記ガイドが搬送方向に垂直な方向に移動可能であることを特徴とする。
【００１０】
上記課題を解決する第３の発明に係るチョッパテーブルは、請求項１に記載のチョッパテーブルにおいて、前記ガイド間を搬送方向に垂直な方向に隙間調整可能にするために、前記ガイドに前記一対のガイドとの間に形成された隙間の長手方向と垂直な方向に延びる長孔を形成し、前記ガイドが垂直方向に移動可能であることを特徴とする。
【００１１】
【発明の実施の形態】
［第１実施例］
図１に本発明の一実施例に係るチョッパテーブルの平面図を示し、図２にそのＢ−Ｂ矢視断面図を示し、図３にその平面図を示す。折丁の搬送方向は図１中矢印で示す。チョッパテーブル１は、案内テーブルとしての一対のテーブル本体２と、これらのテーブル本体２の略中央部に向かい合うように設置されるガイドとしての各インレットガイド３により構成されている。前記チョッパテーブル１は、固定部材としてのチョッパフレーム４に搬送方向の前後の位置で支持されている。これを詳しく説明すると、搬送方向に延設する前記インレットガイド３は、その前後の位置でそれぞれ搬送方向に垂直な方向に延設する調整部材としてのブラケット５に固定用ボルト６にて支持されている。前記ブラケット５は、前記チョッパフレーム４にそれぞれ二本の調整用ボルト７にて支持されている。前記テーブル本体２は、前記インレットガイド３とは分離して固定用ボルト８にて前記チョッパフレーム４に支持されている。つまり、前記テーブル本体２及び前記インレットガイド３はそれぞれ前記チョッパフレーム４に支持されている。
【００１２】
折丁を搬送する搬送ベルト（図１０参照）を交換する場合は、前記固定用ボルト８を外すと前記テーブル本体２のみを取り外すことができる。つまり、従来、インレットガイドが連結部材を介してテーブル本体に支持され、テーブル本体を取り外すとインレットガイドも同時に外されてしまっていたのに対し、本実施例では、前記テーブル本体２と前記インレットガイド３とは分離されて支持されているため、前記テーブル本体２を前記チョッパフレーム４から取り外しても、前記インレットガイド３はそのまま支持されていることになる。仮に前記テーブル本体２が前記チョッパフレーム４に対して精度良く取り付けられなかったとしても、前記インレットガイド３の前記スリット３ａの隙間に影響を与えることがない。従って、前記インレットガイド３は支持されたままであるので、そのスリット３ａの隙間は変わらない。
【００１３】
紙詰まりをした場合は、前記固定用ボルト６を外して前記インレットガイド３を取り外す。このとき前記ブラケット５は前記チョッパフレーム４に支持されたままである。作業終了後は前記固定用ボルト６にて前記ブラケット５に前記インレットガイド３を再度取り付けるだけで、作業前の元の位置へ設置できる。これは、前記ブラケット５が前記チョッパフレーム４に支持されているからである。従って、前記インレットガイド３間のスリット３ａは変化しないという復帰性が保たれている。
【００１４】
また、折仕様（多ページから少ページ、または少ページから多ページ）の変更時や初期の組付け時には、前記スリット３ａを調整する必要がある。そのため、前記ブラケット５を前記チョッパフレーム４に支持する前記調整用ボルト７が、搬送方向に垂直な方向に２つ並んで取り付けられている。この前記調整用ボルトの頭部７ａが収まる前記ブラケット５に長孔５ａを形成させる。前記長孔５ａの上方には前記インレットガイド３に開口した開口孔３ｂが位置する。前記調整用ボルト７は、前記開口孔３ｂよりレンチ等を挿入して締め付けや緩めることができる。
【００１５】
前記ブラケット５に形成する長孔５ａの断面図を図４に示す。前記長孔５ａの長さをＸとし、２つの前記頭部７ａの外周間長さをｘとすると、Ｘ＞ｘになるように前記長孔５ａを形成させる。また、前記長孔５ａの下部には長孔５ｂが２つ形成されている。前記長孔５ｂの長さをＹとし、前記調整用ボルト７の直径をｙとすると、Ｙ＞ｙになるように前記長孔５ｂを形成させる。これにより、前記ブラケット５は前記位置調整用ボルト７を緩めるだけで、折丁の搬送方向に垂直な方向への移動が可能になる。
【００１６】
従って、前記インレットガイド３及び前記ブラケット５は、前記固定用ボルト６により一体化されているので、前記位置調整用ボルト７を緩めて前記ブラケット５を搬送方向に垂直な方向へ移動させるときは、前記インレットガイド３を前記ブラケット５に支持したまま、前記スリット３ａの隙間調整をすることができる。
【００１７】
［第２実施例］
次に、本発明に係るチョッパテーブルの第２実施例を説明する。図５には、第２実施例に係るチョッパテーブルの図２と同じ箇所の断面を示し、図６にはその平面を示す。第２実施例においては、第１実施例に記載したチョッパテーブル１の構成と取り付け方は同じである。
【００１８】
第１実施例と同様、固定用ボルト（図１の固定用ボルト８）を外すと前記テーブル本体２のみ取り外すことができる。前記テーブル本体２と前記インレットガイド３とは分離されて支持されているため、前記インレットガイド３はそのまま支持されているので前記スリット３ａの隙間は変わらない。つまり、前記テーブル本体２が前記チョッパフレーム４に対して精度良く取り付けられなかったとしても、前記インレットガイド３の前記スリット３ａの隙間に影響を与えることがない。
【００１９】
前記スリット３ａの隙間調整を行うための構成について説明する。前記インレットガイド３は前記ブラケット５に調整用ボルト９にて支持されている。前記調整用ボルト９の頭部９ａの直径をｚとし、前記調整用ボルト９の頭部９ａを収める前記インレットガイド３の開口孔を長孔３ｃとし、その長さをＺとすると、図７に示すように、Ｚ＞ｚとなるように前記長孔３ｃを形成させる。
【００２０】
このような構成にすることにより、前記スリット３ａの隙間調整をする際には、前記調整用ボルト９を緩め、前記インレットガイド３を搬送方向に垂直な方向に調整し前記スリット３ａの隙間を決める。このとき前記ブラケット５は前記チョッパフレーム４に前記固定用ボルト１０により支持されているので、移動するのは前記インレットガイド３のみである。すなわち、隙間調整は第２実施例において調整部材に相当する前記調整用ボルト９及び前記長孔３ｃにて調整が可能になっている。
【００２１】
次に、前記インレットガイド３を取り外す場合について説明する。四つの前記固定用ボルト１０の上部に前記インレットガイド３に開口する開口孔３ｄが形成されている。前記開口孔３ｄにレンチ等を挿入して前記固定用ボルト１０を外す。このとき、前記インレットガイド３は前記ブラケット５に前記調整用ボルト９にて支持されているので、前記インレットガイド３及び前記ブラケット５は一体となって取り外すことになる。前記固定用ボルト１０は所定の位置に位置決めできる。そのため、取り外す前の元の位置に一体となった前記インレットガイド３及び前記ブラケット５を前記固定用ボルト１０にて前記チョッパフレームに取り付けるだけで、前記スリット３ａの隙間は取り外す前と変わらない。従って、前記インレットガイド３の取り外した前後においては、前記スリット３ａの隙間が変わらないという復帰性が保たれる。
【００２２】
上述した２つの実施例では、前記インレットガイド３の前記スリット３ａの隙間調整方向を折丁の搬送方向と直交する方向とした。すなわち、前記スリット３ａの長手方向と搬送方向は水平である。また、隙間調整方向が搬送方向と水平であっても良く、すなわち、前記スリット３ａの長手方向と搬送方向は直交する場合である。つまり、前記スリット３ａの隙間調整方向は前記スリット３ａの長手方向と直交する位置関係であれば実施例と同様の効果を得ることができる。
【００２３】
【発明の効果】
以上、実施形態において詳細に説明したように本発明に係るチョッパテーブルによれば、テーブル本体はチョッパフレームに着脱自在に支持され、インレットガイドはチョッパフレームに一対のブラケットを介して着脱自在に支持されているので、テーブル本体及びインレットガイドはそれぞれ取り外しが可能であるので、テーブル本体を外してもインレットガイドはブラケットを介して支持されたままとなり、インレットガイドのスリットの隙間は変化しない。
【００２４】
また本発明に係るチョッパテーブルによれば、インレットガイド及びブラケットに搬送方向に垂直な方向に長孔を形成したことにより、スリットの隙間を搬送方向に垂直な方向に調整ができ、かつスリットの隙間を変えることなくインレットガイドが取り外し可能にできる。つまり、インレットガイドを取り外してもブラケットの支持されている位置が変わらないので、復帰性が保たれている。
【図面の簡単な説明】
【図１】本発明の一実施形態のチョッパテーブルの平面図である。
【図２】図１のＢ−Ｂ矢視断面図である。
【図３】図２の平面図である。
【図４】ブラケットに形成する長孔の断面図である。
【図５】本発明の他の実施形態に係る図２と同じ箇所の断面図である。
【図６】図５の平面図である。
【図７】インレットガイドに形成する長孔の断面図である。
【図８】従来のチョッパテーブルの平面図である。
【図９】図８のＡ−Ａ矢視断面図である。
【図１０】従来のチョッパ装置の概略側面図である。
【符号の説明】
１      チョッパテーブル
２      テーブル本体
３      インレットガイド
３ａ    スリット
３ｂ    開口孔
３ｃ    長孔
３ｄ    開口孔
４      チョッパフレーム
５      ブラケット
５ａ    長孔
５ｂ    長孔
６      固定用ボルト
７      調整用ボルト
７ａ    頭部
８      固定用ボルト
９      調整用ボルト
９ａ    頭部
１０    固定用ボルト
【図１】
2005035682.tif 000003
【図２】
2005035682.tif 000004
【図３】
2005035682.tif 000005
【図４】
2005035682.tif 000006
【図５】
2005035682.tif 000007
【図６】
2005035682.tif 000008
【図７】
2005035682.tif 000009
【図８】
2005035682.tif 000010
【図９】
2005035682.tif 000011
【図１０】
2005035682.tif 000012